(57)【要約】【課題】歯車列を構成する１の歯車を隣接する歯車間に食い込ませながら歯車列を正回転するとともに、その１の歯車を作動手段で非噛み合い位置へと移動可能とする回転伝達装置において、駆動源を逆駆動して歯車列を逆回転するときの異音の発生を防止する。【解決手段】コピー動作終了後（ステップＳ１１）、ソレノイドをオンして歯車列を構成する１の歯車を非噛み合い位置としてから（ステップＳ１２）、メインモータを逆駆動して現像・定着駆動系の歯車列を逆回転し（ステップＳ１３）、歯飛びによる異音の発生を防止しながら、クリーニングブレードの先端エッジと像担持体との間に堆積する、トナーや紙粉との異物を除去する。その後、メインモータの逆駆動を停止して後（ステップＳ１４）、ソレノイドをオフして１の歯車を噛み合い位置に戻す（ステップＳ１５）。【選択図】        図７
2005016624.tif 000002
【特許請求の範囲】
【請求項１】
歯車列を構成する１の歯車を隣接する歯車間に食い込ませながら前記歯車列を正回転するとともに、その１の歯車を作動手段で非噛み合い位置へと移動可能とする回転伝達装置において、
前記歯車列を逆回転するときは、前記作動手段を駆動することを特徴とする、回転伝達装置。
【請求項２】
請求項１に記載の回転伝達装置を備え、前記歯車列を正回転して駆動源の正回転を定着装置に伝達することを特徴とする、画像形成装置。
【請求項３】
立ち上げ時に、前記作動手段で前記１の歯車を非噛み合い位置へと移動することを特徴とする、請求項２に記載の画像形成装置。
【請求項４】
前記作動手段を駆動する前に前記駆動源を逆駆動することを特徴とする、請求項３に記載の画像形成装置。
【請求項５】
画像形成動作終了の処理モード時に、前記駆動源を逆駆動することを特徴とする、請求項２ないし４のいずれか１に記載の画像形成装置。
【請求項６】
前記駆動源を逆駆動して後、前記作動手段を駆動することを特徴とする、請求項５に記載の画像形成装置。
【発明の詳細な説明】
【０００１】
【発明の属する技術分野】
この発明は、例えば、複写機、プリンタ、ファクシミリ、またはそれらの複合機など、用紙・ＯＨＰフィルム等のシート材に画像を記録する画像形成装置、特に電子写真式の画像形成装置に関する。および、そのような電子写真式の画像形成装置などにおいて、歯車列を介して駆動源の回転を例えば定着装置に伝達する回転伝達装置に関する。
【０００２】
【従来の技術】
従来、電子写真方式を用いた画像形成装置では、帯電・露光・現像することにより像担持体上にトナー画像を形成し、そのトナー画像をシート材に転写し、その画像転写後のシート材を定着装置に入れて定着装置でシート材上の未定着トナー画像をシート材上に定着し、外部に排出して例えば排出トレイ上にスタックしていた。
【０００３】
ここで、定着装置は、例えば、内部にヒータを有する金属製の定着ローラと、それに押し当てる、弾性材料よりなる加圧ローラとで構成し、ヒータの熱でトナーを溶融して、定着ローラと加圧ローラとで圧力を加えることにより定着していた。
【０００４】
この種の画像形成装置では、近年の市場における低コスト化やコンパクト化などの要請にともない、像担持体駆動系、現像駆動系、定着駆動系、シート供給搬送系、トナー補給駆動系などのすべてを１つのメインモータで駆動することが主流となっている。
【０００５】
このため、電源投入時や省エネモードからの復帰時などの立ち上げ時に、像担持体まわりのプロセス立ち上げのために所定時間プレ回転を行うと、必然的にその間、定着駆動系も同時に駆動し、定着ローラとともに加圧ローラも回転することとなる。
【０００６】
したがって、回転とともに定着ローラの熱が加圧ローラに奪われ、定着ローラの表面温度を速やかに上昇することが困難となって定着温度に達するまでに時間がかかり、画像形成装置自体の立ち上げスピードが遅くなる問題があった。
【０００７】
よって、従来の画像形成装置の中には、定着駆動系に回転伝達を遮断する回転伝達遮断機構を持たせ、立ち上げ時にその回転伝達遮断機構を働かせて駆動源から定着装置への回転伝達を遮断し、定着ローラおよび加圧ローラの回転を停止するものがある。
【０００８】
回転伝達遮断機構としては、例えば、回転伝達遮断時は、歯車列を構成する１の歯車を作動手段で非噛み合い位置へと移動し、通常回転伝達時はその１の歯車を噛み合い位置として、隣接する歯車間に食い込ませながら歯車列を正回転する構成のものを用いていた。
【０００９】
【発明が解決しようとする課題】
このような従来の画像形成装置では、一般的に、像担持体にクリーニング装置のクリーニングブレードを押し当て、そのクリーニングブレードで、画像転写後に像担持体上に残留する残留トナーを除去して像担持体表面を清掃し、次の画像形成に備えている。
【００１０】
このようなクリーニング装置を備える画像形成装置では、クリーニングブレードの先端エッジと像担持体との間に、トナーや紙粉などの異物を堆積して良好なクリーニング性能を得ることができなくなる問題があった。このため、画像形成動作の終了時に駆動源を逆駆動して像担持体を逆回転し、異物を除去することが広く行われている。
【００１１】
しかしながら、駆動源を逆駆動すると、逆回転が定着駆動系の回転伝達遮断機構にまで伝わり、上述した噛み合い位置にある１の歯車を逆回転する。ところが、回転伝達遮断機構は下流側の回転負荷トルクが大きいから、逆回転された１の歯車は、噛み合い位置から非噛み合い位置に逃げて歯飛びを生じ、その歯飛びに基づく異音を発生する問題があった。
【００１２】
そこで、この発明の第１の目的は、歯車列を構成する１の歯車を隣接する歯車間に食い込ませながら歯車列を正回転するとともに、その１の歯車を作動手段で非噛み合い位置へと移動可能とする回転伝達装置において、駆動源を逆駆動して歯車列を逆回転するときの異音の発生を防止することにある。
【００１３】
この発明の第２の目的は、そのような回転伝達装置を用いて駆動源の正回転を定着装置に伝達する画像形成装置において、駆動源を逆駆動して歯車列を逆回転するときの異音の発生を防止することにある。
【００１４】
この発明の第３の目的は、画像形成装置において、定着駆動系の回転伝達を遮断して立ち上げスピードを早くすることにある。
【００１５】
この発明の第４の目的は、定着駆動系の回転伝達の遮断を容易とすることにある。
【００１６】
この発明の第５の目的は、画像形成動作終了の処理モードで、像担持体を逆回転してクリーニングブレードの異物を除去するときの異音の発生を防止することにある。
【００１７】
この発明の第６の目的は、画像形成動作終了の処理モードで、定着駆動系の回転伝達の遮断を容易とすることにある。
【００１８】
【課題を解決するための手段】
そのため、請求項１に記載の発明は、上記第１の目的を達成すべく、歯車列を構成する１の歯車を隣接する歯車間に食い込ませながら歯車列を正回転するとともに、その１の歯車を作動手段で非噛み合い位置へと移動可能とする回転伝達装置において、歯車列を逆回転するときは、作動手段を駆動する、ことを特徴とする。
【００１９】
請求項２に記載の発明は、上記第２の目的を達成すべく、画像形成装置にあって、請求項１に記載の回転伝達装置を備え、歯車列を正回転して駆動源の正回転を定着装置に伝達する、ことを特徴とする。
【００２０】
請求項３に記載の発明は、上記第３の目的を達成すべく、請求項２に記載の画像形成装置において、立ち上げ時に、作動手段で１の歯車を非噛み合い位置へと移動する、ことを特徴とする。
【００２１】
請求項４に記載の発明は、上記第４の目的を達成すべく、請求項３に記載の画像形成装置において、作動手段を駆動する前に駆動源を逆駆動する、ことを特徴とする。
【００２２】
請求項５に記載の発明は、上記第５の目的を達成すべく、請求項２ないし４のいずれか１に記載の画像形成装置において、画像形成動作終了の処理モード時に、駆動源を逆駆動する、ことを特徴とする。
【００２３】
請求項６に記載の発明は、上記第６の目的を達成すべく、請求項５に記載の画像形成装置において、駆動源を逆駆動して後、作動手段を駆動する、ことを特徴とする。
【００２４】
【発明の実施の形態】
以下、図面を参照しつつ、この発明の実施の形態につき説明する。
図１には、画像形成装置の一例である電子写真方式を用いた複写機の全体概略構成を示す。
【００２５】
図中符号１００は、複写機装置本体（画像形成装置本体）である。複写機装置本体１００の上には、画像読取装置２００を取り付ける。また、画像読取装置２００の上には、背面側を支点に手前側を上下に開閉自在に自動原稿搬送装置（ＡＤＦ）３００を取り付ける。
【００２６】
複写機装置本体１００には、内部に、作像装置Ｗを備える。作像装置Ｗには、ドラム状の像担持体１０を設ける。この像担持体１０のまわりには、図中左側に配置する帯電装置１１から、像担持体１０の回転方向（反時計方向）Ａに順に、下側に現像装置１２、右斜め下側に転写装置１３、上側にクリーニング装置１４などを配置する。
【００２７】
現像装置１２には、キャリアとトナーとからなる乾式二成分現像剤を撹拌しながら現像剤担持体１２ａへと搬送する撹拌ローラ１６ａ・１６ｂ、現像剤担持体１２ａで担持する現像剤を薄層化する薄層化部材１２ｂなどを設ける。また、クリーニング装置１４には、ファーブラシ１４ａ、クリーニングブレード１４ｂを設ける。
【００２８】
このような複写機は、図示するように、例えば像担持体１０と帯電装置１１と現像装置１２とクリーニング装置１４とをカートリッジケース内に備えて一体化し、プロセスカートリッジ１５を形成する。そして、そのプロセスカートリッジ１５を、複写機装置本体１００に対して例えば正面側から出し入れして一括して着脱自在とする。
【００２９】
そのようなプロセスカートリッジ１５の図中左側には、レーザ書込装置１７を設ける。そのレーザ書込装置１７は、不図示のレーザ光源、走査用の回転多面鏡１８、ポリゴンモータ１９、ｆθレンズ等の不図示の光学部品などを備える。
【００３０】
そのような作像装置Ｗを備える複写機装置本体１００内には、ＯＨＰフィルム・用紙などのシート材を搬送するシート搬送路Ｒを備える。
【００３１】
そのシート搬送路Ｒは、複写機装置本体１００の下部に備えて、シート材Ｓを収納するシートカセット２２から、像担持体１０と転写装置１３との間の転写位置Ｄを通過して、図中下方から上方へとのび、そのシート搬送路Ｒに沿って、シートカセット２２からシート材を順次上から１枚ずつ送り出す送出ローラ２３、シート材を搬送する複数のシート搬送ローラ２４、そのシート搬送ローラ２４により搬送するシート材Ｓの先端を検知するレジストセンサ２９、搬送するシート材の先端を突き当てて止めるレジストローラ２５、画像定着後のシート材を排出する排出ローラ２６などを備える。
【００３２】
また、複写機装置本体１００には、右側に、手差しシート材を載置する手差しトレイ２７を開閉自在に備え、その手差しトレイ２７からシート材を順次上から１枚ずつ送り出す送出ローラ２８を設ける。
【００３３】
そのようなシート搬送路Ｒの転写位置Ｄの下流位置には、定着装置３０を備える。定着装置３０には、内部に、ヒータ等の熱源を備える定着ローラ３１と、それに所定の圧力で押し当てる加圧ローラ３２とを設ける。
【００３４】
また、シート搬送路Ｒの排出ローラ２６の先には、画像形成済みのシート材をスタックする排出スタック部３４を設ける。
【００３５】
そのような排出スタック部３４の図中下側に設けるものは、現像装置１２に新しいトナーを補給するトナー補給装置３５である。
【００３６】
次に、画像読取装置２００には、光源３６、複数のミラー３７、結像用光学レンズ３８、ＣＣＤ等のイメージセンサ３９などを設ける。そして、画像読取装置２００の上面には、細長のコンタクトガラス４０と幅広のコンタクトガラス４１とを設ける。
【００３７】
それらのコンタクトガラス４０・４１上の自動原稿搬送装置３００には、原稿の載置位置に原稿セット台４３を設けるとともに、排出位置に原稿スタック台４４を設ける。また、原稿を、原稿セット台４３から画像読取装置２００の細長のコンタクトガラス４０上の読取位置を経て原稿スタック台４４まで搬送する原稿搬送路を備える。原稿搬送路には、原稿を搬送する原稿搬送ローラ４５を複数対備える。
【００３８】
さて、いまこの複写機を用いてコピーをとるときは、不図示のメインスイッチをオンするとともに、自動原稿搬送装置３００の原稿セット台４３に原稿をセットする。ブック原稿のような場合には、自動原稿搬送装置３００を開いて画像読取装置２００の幅広のコンタクトガラス４１上に直接原稿をセットし、自動原稿搬送装置３００を閉じてそれで押える。
【００３９】
そして、不図示のスタートスイッチを押すと、自動原稿搬送装置３００の原稿セット台４３に原稿をセットしたときは、原稿を原稿搬送ローラ４５により原稿搬送路を通して、細長のコンタクトガラス４０上へと移動してから画像読取装置２００を駆動し、原稿内容を読み取って原稿を原稿スタック台４４上に排出する。一方、幅広のコンタクトガラス４１上に直接原稿をセットしたときは、直ちに画像読取装置２００を駆動する。
【００４０】
画像読取装置２００を駆動すると、画像読取装置２００は、光源３６からの光を細長のコンタクトガラス４０、または幅広のコンタクトガラス４１上の原稿面で反射し、その反射光を複数のミラー３７で反射し、結像用光学レンズ３８を経て、イメージセンサ３９に入れて、そのイメージセンサ３９で原稿内容を読み取る。
【００４１】
また、このとき同時に、後述するメインモータで像担持体１０を回転し、まず帯電装置１１で表面を一様に例えばマイナス帯電し、次いで上述の画像読取装置２００で読み取った原稿内容に応じてレーザ書込装置１７を作動して静電潜像を形成する。すなわち、レーザ書込装置１７が備えるポリゴンモータ１９で回転多面鏡１８を回転するとともに、不図示のレーザ光源からレーザ光Ｌを照射し、そのレーザ光Ｌが、回転多面鏡１８、不図示の光学部品などを介して像担持体１０上に入射して光書込みを行い、像担持体１０の表面に静電潜像を形成する。
【００４２】
そして、現像装置１２では、撹拌ローラ１６ａ・１６ｂで乾式二成分現像剤を撹拌しながら現像剤担持体１２ａへと搬送し、現像剤担持体１２ａに所定バイアスを印加して現像剤担持体１２ａで現像剤を担持する。その後、現像剤担持体１２ａで担持する現像剤を薄層化部材１２ｂによって薄層化して後、像担持体１０上の静電潜像へ、現像剤担持体４９で担持するトナーを付着してトナー画像を形成し、静電潜像を可視像化する。
【００４３】
また、スタートスイッチを押したとき同時に、送出ローラ２３で、シートカセット２２からシート材Ｓを順次上から１枚ずつ送り出してシート搬送路Ｒに入れ、そのシート材を、シート搬送ローラ２４で搬送して先端をレジストセンサ２９で検知してからレジストローラ２５に突き当てて止める。
【００４４】
または、手差しシート材をセットした手差しトレイ２７から送出ローラ２８で、シート材Ｓを順次上から１枚ずつ送り出してシート搬送路Ｒに入れ、そのシート材を、シート搬送ローラ２４で搬送してからレジストローラ２５に突き当てて止める。
【００４５】
そして、上述した像担持体１０上のトナー画像にタイミングを合わせてレジストローラ２５を回転して像担持体１０へと送り込む。
【００４６】
それから、像担持体１０へと送り込んだシート材Ｓに、図示例では転写装置１３により転写位置Ｄで像担持体１０上のトナー画像を転写して画像を形成する。画像転写後の像担持体１０は、クリーニング装置１４が備えるファーブラシ１４ａとクリーニングブレード１４ｂとで除去してクリーニングしてから、除電装置で像担持体１０上の残留電位を除去して帯電装置１１からはじまる次の画像形成に備える。
【００４７】
一方、画像転写後のシート材Ｓは、定着装置３０に入れ、定着ローラ３１と加圧ローラ３２間に通して搬送しながら、それらにより熱と圧力を加えてシート材Ｓ上のトナー画像を定着する。定着後のシート材は、シート搬送ローラ２４で搬送してから、排出ローラ２６で排出スタック部３４上に排出してそこにスタックする。
【００４８】
なお、図示する複写機は、像担持体１０のまわりに、像担持体１０上のトナー濃度を検知するＰセンサ４７を、現像装置１２に、現像装置１２内のトナー濃度を検知するＴセンサ４８をそれぞれ備える。
【００４９】
そして、それらのＰセンサ４７およびＴセンサ４８により像担持体１０上のトナー濃度を一定に保つ。
【００５０】
例えば、コピーを開始する立ち上がりの際、像担持体１０上にトナーパターン像を形成して、Ｐセンサ４７によってトナーパターンの濃度および像担持体１０の地肌濃度を検知し、それらの検知したトナーパターンの濃度と地肌濃度によってＴセンサ４８の基準値補正、および地汚れ防止のための帯電バイアスの補正を行う。
【００５１】
一方、Ｔセンサ４８によって、現像装置１２内のトナー濃度を検知し、トナー濃度が低い場合、トナー補給装置３５を作動して、現像装置１２内に新しいトナーを補給する。
【００５２】
図２には、複写機装置本体１００内に設ける駆動伝達系を示す。
図中符号５０は、駆動源であるメインモータである。複写機装置本体１００内には、この１つのメインモータ５０の回転を、モータギヤ５０ａから像担持体駆動系５１、トナー補給駆動系５２、現像・定着駆動系５３、シート供給搬送系５４へと伝達する。
【００５３】
像担持体駆動系５１は、像担持体１０を回転する。トナー補給駆動系５２は、トナー補給装置３５を駆動する。現像・定着駆動系５３は、現像装置１２を駆動し、現像装置１２の現像剤担持体１２ａ、撹拌ローラ１６ａ・１６ｂなどを回転するとともに、定着装置３０を駆動し、定着装置３０の定着ローラ３１および加圧ローラ３２を回転する。シート供給搬送系５４は、送出ローラ２３、複数対のシート搬送ローラ２４、レジストローラ２５、排出ローラ２６、送出ローラ２８などを回転する。
【００５４】
このうち、現像・定着駆動系（回転伝達装置）５３には、歯車列Ｇを構成する１の歯車５５を隣接する歯車５６・５７と噛み合わす。１の歯車５５は、不図示の支点を中心として揺動する揺動ブラケット５８上に回転自在に設ける。揺動ブラケット５８には、アーム５９を介してソレノイド（作動手段）６０のプランジャ６１を連結する。これにより、回転伝達遮断機構６２を構成する。
【００５５】
そして、回転伝達遮断機構６２のソレノイド６０のオフ時は、揺動ブラケット５８を不図示の付勢部材で付勢して実線で示すように１の歯車５５を隣接する歯車５６・５７に押し当て、噛み合い位置とする。反対に、ソレノイド６０のオン時は、プランジャ６１を引き込んで揺動ブラケット５８を付勢力に抗して引き寄せ、隣接する歯車５６・５７の少なくとも一方に対する１の歯車５５の噛み合いを外して鎖線で示すように非噛み合い位置とする。すなわち、１の歯車５５を、作動手段であるソレノイド６０で非噛み合い位置へと移動可能とする。
【００５６】
コピー時は、メインモータ５０のモータギヤ５０ａを時計まわりに正回転し、像担持体１０を反時計まわりに回転するとともに、定着装置３０の定着ローラ３１を反時計まわりに回転する。このとき、隣接する歯車５６は、反時計まわりに回転し、反対側で隣接する歯車５７との間に１の歯車５５を食い込ませながら歯車列Ｇの正回転を伝達する。
【００５７】
ところで、この複写機では、これまでと同様に、電源投入時や省エネモードからの復帰時などの立ち上げ時に、像担持体１０まわりのプロセス立ち上げのために所定時間プレ回転を行う。すると、必然的にその間、現像・定着駆動系５３も同時に駆動し、定着ローラ３１および加圧ローラ３２を回転する。
【００５８】
よって、従来と同様に、回転とともに定着ローラ３１の熱が加圧ローラ３２に奪われ、定着ローラ３１の表面温度を速やかに上昇することが困難となって定着温度に達するまでに時間がかかり、複写機自体の立ち上げスピードが遅くなることのないように、回転伝達遮断機構６２を働かせる。
【００５９】
つまり、図３に示すように、電源投入時や省エネモードからの復帰時などの立ち上げ時に（ステップＳ１）、ソレノイド６０を駆動して１の歯車５５を非噛み合い位置へと移動し（ステップＳ２）、回転伝達遮断機構６２を働かせてメインモータ５０から定着装置３０への回転伝達を遮断し、定着ローラ３１および加圧ローラ３２の回転を停止する。
【００６０】
その後、メインモータ５０を駆動し（ステップＳ３）、プロセス立ち上げおよび定着ローラ３１のヒータ立ち上げを実施し（ステップＳ４）、立ち上げ終了後（ステップＳ５）メインモータ５０の駆動を停止し（ステップＳ６）、ソレノイド６０をオフして（ステップＳ７）印字スタンバイ状態とする。
【００６１】
なおここで、歯車列Ｇを構成する１の歯車５５が、隣接する歯車５６・５７間に強く食い込んだ状態で、ソレノイド６０をオンしたとき（ステップＳ２）、１の歯車５５を非噛み合い位置に移動することが難しい場合がある。そこで、図４に示すように、ソレノイド６０をオンする前にメインモータ５０を逆駆動し（ステップＳ８）、その後ソレノイド６０をオンして（ステップＳ２）１の歯車５５を完全に非噛み合い位置へと移動してからメインモータ５０の逆駆動を停止し（ステップＳ９）、それから同様にメインモータ５０を正駆動し（ステップＳ３）、プロセス立ち上げおよびヒータ立ち上げを実施し（ステップＳ４）、立ち上げ終了後（ステップＳ５）メインモータ５０の正駆動を停止し（ステップＳ６）、ソレノイド６０をオフして（ステップＳ７）印字スタンバイ状態とするとよい。
【００６２】
また、図４に示す例では、ソレノイド６０をオンする前にメインモータ５０を逆駆動し（ステップＳ８）、隣接する歯車５６・５７に対する１の歯車５５の食い込みを外してから、ソレノイド６０をオンしたが、図５および図６に示すようにソレノイド６０をオンしてから（ステップＳ２）逆転信号をオンしてメインモータ５０を逆駆動し（ステップＳ８）、１の歯車５５を非噛み合い位置に移動することが難しい場合もメインモータ５０の逆駆動で完全に非噛み合い位置へと移動し、所定時間経過後メインモータ５０の逆駆動を停止し（ステップＳ９）、次いでメインモータ５０を正駆動し（ステップＳ３）、プロセス立ち上げおよびヒータ立ち上げを実施し（ステップＳ４）、立ち上げ終了後（ステップＳ５）メインモータ５０の駆動を停止し（ステップＳ６）、ソレノイド６０をオフして（ステップＳ７）印字スタンバイ状態とするとよい。
【００６３】
さて、図示のような複写機でも、同様に、クリーニングブレード１４ｂの先端と像担持体１０との間に、トナーや紙粉などの異物が堆積するため良好なクリーニング性能を得ることができなくなることから、コピー動作の終了時にメインモータ５０を逆駆動して像担持体１０を逆回転し、異物を除去する。すると、逆回転が現像・定着駆動系５３の回転伝達遮断機構６２にまで伝わり、上述した噛み合い位置にある１の歯車５５を逆回転する。ところが、回転伝達遮断機構６２は下流側の回転負荷トルクが大きいから、逆回転された１の歯車５５は、噛み合い位置から非噛み合い位置に逃げて歯飛びを生じ、その歯飛びに基づく異音を発生する。
【００６４】
そこで、この発明では、コピー動作終了の処理モードにおいて、現像・定着駆動系５３の歯車列Ｇを逆回転するときは、作動手段であるソレノイド６０を駆動し、１の歯車５５を非噛み合い位置とする。このようにすると、１の歯車５５の噛み合いを外して歯飛びに基づく異音の発生を防止することができる。
【００６５】
例えば図７および図８に示すように、ジョブエンドであるコピー動作終了後（ステップＳ１１）、ソレノイド６０をオンして、歯車列Ｇを構成する１の歯車５５を非噛み合い位置としてから（ステップＳ１２）、逆転信号をオンしてメインモータ５０を逆駆動して現像・定着駆動系５３の歯車列Ｇを逆回転し（ステップＳ１３）、歯飛びによる異音の発生を防止しながら、クリーニングブレード１４ｂの先端エッジと像担持体１０との間に堆積する、トナーや紙粉などの異物を除去して良好なクリーニング性能を得ることができるようにする。そして、所定時間経過後、メインモータ５０の逆駆動を停止して後（ステップＳ１４）、ソレノイド６０をオフして１の歯車５５を噛み合い位置に戻す（ステップＳ１５）。
【００６６】
歯車列Ｇを構成する１の歯車５５が隣接する歯車５６・５７間に食い込んで１の歯車５５を非噛み合い位置に移動することが難しい場合もある。そこで、図９に示すように、コピー動作終了後（ステップＳ１１）、先にメインモータ５０を逆駆動して現像・定着駆動系５３の歯車列Ｇを逆回転してから（ステップＳ１３）、ソレノイド６０をオンし（ステップＳ１２）、メインモータ５０の逆駆動を停止して後（ステップＳ１４）、ソレノイド６０をオフするようにしてもよい（ステップＳ１５）。
【００６７】
【発明の効果】
以上説明したとおり、請求項１に記載の発明によれば、歯車列を構成する１の歯車を隣接する歯車間に食い込ませながら歯車列を正回転する回転伝達装置において、駆動源を逆駆動して歯車列を逆回転するときは、作動手段を駆動して１の歯車を非噛み合い位置へと移動することで、１の歯車の噛み合いを外して歯飛びに基づく異音の発生を防止することができる。
【００６８】
請求項２に記載の発明によれば、請求項１に記載の回転伝達装置を備え、歯車列を正回転して駆動源の正回転を定着装置に伝達することで、請求項１に記載の回転伝達装置を用いて駆動源の正回転を定着装置に伝達する画像形成装置において、駆動源を逆駆動して歯車列を逆回転するときの異音の発生を防止することができる。
【００６９】
請求項３に記載の発明によれば、電源投入時や省エネモードからの復帰時などの立ち上げ時に、作動手段で１の歯車を非噛み合い位置へと移動することで、プレ回転時に定着駆動系の回転伝達を遮断して、定着ローラの熱が加圧ローラに奪われるおそれをなくし、画像形成装置の立ち上げスピードを早くすることができる。
【００７０】
請求項４に記載の発明によれば、作動手段を駆動する前に駆動源を逆駆動することで、１の歯車の食い込みを和らげてプレ回転時における定着駆動系の回転伝達の遮断を容易とすることができる。
【００７１】
請求項５に記載の発明によれば、画像形成動作終了の処理モード時に、駆動源を逆駆動することで、例えば像担持体を逆回転してクリーニングブレードの先端エッジに付着するトナーや紙粉などの異物を除去するが、そのときの歯飛びに基づく異音の発生を防止することができる。
【００７２】
請求項６に記載の発明によれば、駆動源を逆駆動して後、作動手段を駆動することで、画像形成動作終了の処理モード時に、先に１の歯車の食い込みを和らげてから作動手段を駆動するようにし、定着駆動系の回転伝達の遮断を容易とすることができる。
【図面の簡単な説明】
【図１】画像形成装置の一例である電子写真方式を用いた複写機の全体概略構成図である。
【図２】その複写機装置本体内に設ける駆動伝達系を示す図である。
【図３】その駆動伝達系の立ち上げ時のフローチャートである。
【図４】立ち上げ時の他例のフローチャートである。
【図５】立ち上げ時のさらに他例のフローチャートである。
【図６】そのタイミングチャートである。
【図７】画像形成動作終了の処理モード時のフローチャートである。
【図８】そのタイミングチャートである。
【図９】画像形成動作終了の処理モード時の他のフローチャートである。
【符号の説明】
３０    定着装置
５０    メインモータ（駆動源）
５３    現像・定着駆動系（回転伝達装置）
５５    １の歯車
５６    隣接する歯車
５７    隣接する歯車
６０    ソレノイド（作動手段）
６２    回転伝達遮断機構
Ｇ      歯車列
【図１】
2005016624.tif 000003
【図２】
2005016624.tif 000004
【図３】
2005016624.tif 000005
【図４】
2005016624.tif 000006
【図５】
2005016624.tif 000007
【図６】
2005016624.tif 000008
【図７】
2005016624.tif 000009
【図８】
2005016624.tif 000010
【図９】
2005016624.tif 000011